(57)【要約】【課題】複数のズームモードの切り替えにおいて、固定倍率でズーミングを行う場合の倍率設定制御を提供すること。【解決手段】撮像装置は、撮像素子により撮像された画像を処理して拡大する電子ズーム機能を有する。ユーザは操作部７０およびタッチパネル７１を使用してズームモードを指示する操作を行う。システム制御部５０は操作指示にしたがって、撮影画像を任意の倍率で拡大する第１のズームモードと、撮影画像を固定倍率で拡大する第２のズームモードとの切り替えを制御する。システム制御部５０は第１のズームモードから第２のズームモードに切り替える場合、第１のズームモードにおける撮影画像の拡大率に応じて第２のズームモードの固定倍率の設定を変更する。【選択図】  図４
2017135575.tif 000002
【特許請求の範囲】
【請求項１】
撮像素子により撮像された画像を処理してズーム制御を行う撮像装置であって、
前記撮像素子により撮像された画像を拡大する第１のズームモードと、前記撮像素子により撮像された画像を固定倍率で拡大する第２のズームモードとを切り替えてズーム制御を行う制御手段を備え、
前記制御手段は、前記第１のズームモードから前記第２のズームモードに切り替えるときに、前記第１のズームモードのズーム倍率から決定した前記第２のズームモードの固定倍率に設定を変更することを特徴とする撮像装置。
【請求項２】
前記第１のズームモードから前記第２のズームモードへの切り替えを指示する指示手段を備え、
前記制御手段は前記指示手段から前記第２のズームモードへの切り替えの指示を受け付けたとき、前記第１のズームモードのズーム倍率が前記第２のズームモードの第１の固定倍率より大きく、かつ前記第２のズームモードの第２の固定倍率より小さい場合、前記第２の固定倍率で前記画像を拡大する制御を行うことを特徴とする請求項１に記載の撮像装置
【請求項３】
前記第１のズームモードから前記第２のズームモードへの切り替えを指示する指示手段と、
ズームモードのメニュー項目を表示する表示手段を備え、
前記制御手段は、前記指示手段により指示された前記メニュー項目に対応する前記第２のズームモードの固定倍率に変更することを特徴とする請求項１に記載の撮像装置。
【請求項４】
前記メニュー項目は、前記第１のズームモードの項目と前記第２のズームモードにて設定の変更が可能な固定倍率の項目を含むことを特徴とする請求項３に記載の撮像装置。
【請求項５】
前記表示手段は、前記メニュー項目にて前記第１のズームモードのズーム倍率にしたがって前記項目の並び順序を変更した画面を表示することを特徴とする請求項４に記載の撮像装置。
【請求項６】
前記制御手段は、前記第１のズームモードのズーム倍率が上限値以上である場合、前記第２のズームモードに切り替えず、レンズの駆動によりズーム倍率を変更する光学ズームの制御を行うことを特徴とする請求項１から５のいずれか１項に記載の撮像装置。
【請求項７】
前記制御手段が前記光学ズームの制御から前記第２のズームモードへ切り替える場合、前記第２のズームモードの固定倍率は設定の変更が可能な複数の倍率のうちで最小の倍率であることを特徴とする請求項６に記載の撮像装置。
【請求項８】
撮像素子により撮像された画像を処理してズーム制御を行う撮像装置にて実行される制御方法であって、
前記撮像素子により撮像された画像を拡大する第１のズームモードと、前記撮像素子により撮像された画像を固定倍率で拡大する第２のズームモードとを制御手段が切り替えるステップと、
前記制御手段が前記第１のズームモードから前記第２のズームモードに切り替えるとき、前記第１のズームモードのズーム倍率から決定した前記第２のズームモードの固定倍率に設定を変更するステップを有することを特徴とする撮像装置の制御方法。
【発明の詳細な説明】
【技術分野】
【０００１】
本発明は、デジタルカメラ等に好適な電子ズーム制御に関するものである。
【背景技術】
【０００２】
近年、多機能、高機能化が進むデジタルカメラにおいては、小型化および高倍率ズームが求められている。撮像装置の小型化を実現した上で高倍率ズームを実現するためには、画像処理によってズーム倍率を変更する電子ズームの活用が必要である。特許文献１では複数の電子ズームモードの切り替えを可能とするカメラが開示されている。
【先行技術文献】
【特許文献】
【０００３】
【特許文献１】特開２００８−４２２９６号公報
【発明の概要】
【発明が解決しようとする課題】
【０００４】
複数のズームモードの切り替えを行う従来の技術では、固定倍率でズーミングを行う場合の倍率設定制御についての技術は提案されていなかった。
本発明の目的は、複数のズームモードの切り替えにおいて、固定倍率でズーミングを行う場合の倍率設定制御を提供することである。
【課題を解決するための手段】
【０００５】
本発明の一実施形態に係る装置は、撮像素子により撮像された画像を処理してズーム制御を行う撮像装置であって、前記撮像素子により撮像された画像を拡大する第１のズームモードと、前記撮像素子により撮像された画像を固定倍率で拡大する第２のズームモードとを切り替えてズーム制御を行う制御手段を備える。前記制御手段は、前記第１のズームモードから前記第２のズームモードに切り替えるときに、前記第１のズームモードのズーム倍率から決定した前記第２のズームモードの固定倍率に設定を変更する。
【発明の効果】
【０００６】
本発明によれば、複数のズームモードの切り替えにおいて、固定倍率でズーミングを行う場合の倍率設定制御を提供することができる。
【図面の簡単な説明】
【０００７】
【図１】本発明の実施形態に係る撮像装置の概略構成を例示するブロック図である。
【図２】第１実施形態にてズームモード切り替えのメニュー構成を説明する図である。
【図３】第１実施形態にてキー操作時のズームモード切り替えを説明する図である。
【図４】第１実施形態におけるズームモード切り替えに関するフローチャートである。
【図５】第２実施形態にてズームモード切り替えのメニュー構成を説明する図である。
【図６】第２実施形態にてキー操作時の電子ズーム倍率指標を説明する図である。
【発明を実施するための形態】
【０００８】
以下、本発明の実施形態について、図面を参照しながら説明する。なお、各実施形態はあくまでも一例であって、必ずしもこれらの実施形態に限定されるものではない。まず、図１を参照して各実施形態に共通する撮像装置の構成例について説明する。
【０００９】
図１は、撮像装置の概略構成を示すブロック図である。デジタルカメラ１００を例示して各部を説明する。デジタルカメラ１００では、レンズの駆動によりズーム倍率を変更する光学ズーム制御と、画像処理によりズーム倍率を変更する電子ズーム制御が行われる。
【００１０】
撮影レンズ１０３はズームレンズ、フォーカスレンズを含むレンズ群である。シャッタ１０１は絞り機能を備える。撮像部２２は光学像を電気信号に変換する撮像素子を備える。撮像素子はＣＣＤ（電荷結合素子）やＣＭＯＳ（相補型金属酸化膜半導体）素子等で構成されるエリアイメージセンサである。Ａ（アナログ）／Ｄ（デジタル）変換器２３は、撮像部２２が出力するアナログ信号をデジタル信号に変換する。バリア１０２は、撮影レンズ１０３を含む撮像光学系の構成部を覆う部材であり、撮影レンズ１０３、シャッタ１０１、撮像部２２の汚損を防止する。
【００１１】
画像処理部２４は、Ａ／Ｄ変換器２３からのデータ、または、メモリ制御部１５からのデータに対して所定の処理を行う。所定の処理とは、画素補間やリサイズ処理、色変換処理等である。また、画像処理部２４は、撮像された画像のデータを用いて所定の演算処理を行う。得られた演算結果に基づいてシステム制御部５０は露光制御や焦点状態検出および焦点調節の制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４は更に、撮像された画像のデータを用いて所定の演算処理を行って、ＴＴＬ方式のＡＷＢ（オートホワイトバランス）処理を行う。
【００１２】
Ａ／Ｄ変換器２３からの出力データは、画像処理部２４およびメモリ制御部１５を介してメモリ３２に記憶されるか、或いは、メモリ制御部１５を介してメモリ３２に直接記憶される。メモリ３２は、撮像部２２による撮像後にＡ／Ｄ変換器２３がデジタルデータに変換した画像データや、表示部２８への画像表示用データを記憶する。メモリ３２は、所定枚数の静止画像や所定時間分の動画像および音声のデータを記憶するのに十分な記憶容量を有する。また、メモリ３２は画像表示用メモリ（ビデオメモリ）を兼ねている。
【００１３】
Ｄ／Ａ変換器１３は、メモリ制御部１５がメモリ３２から読み出した画像表示用データをアナログ信号に変換して表示部２８に出力する。表示部２８は画像表示用データにしたがって画像を表示する。表示部２８はＬＣＤ（液晶表示装置）等の表示デバイスを備え、Ｄ／Ａ変換器１３からのアナログ信号に応じた表示を行う。Ａ／Ｄ変換後にメモリ３２に蓄積されたデジタル信号をＤ／Ａ変換器１３がアナログ信号に変換し、表示部２８に逐次転送して表示することで、電子ビューファインダの機能が実現され、スルー画像表示が行われる。
【００１４】
不揮発性メモリ５６は、電気的に消去および記録可能なメモリであり、例えばＥＥＰＲＯＭ（Electrically Erasable Programmable Read-Only Memory）等が用いられる。不揮発性メモリ５６は、システム制御部５０の動作用の定数、プログラム等を記憶している。ここでいう、プログラムとは、後述する実施形態に示すフローチャートの処理を実行するためのプログラムのことである。
【００１５】
システム制御部５０は、デジタルカメラ１００全体を制御する。システム制御部５０は不揮発性メモリ５６に記憶されたプログラムを実行することで各種処理を行う。システムメモリ５２にはＲＡＭ（ランダム・アクセス・メモリ）が用いられる。システムメモリ５２は、システム制御部５０の動作用の定数、変数、不揮発性メモリ５６から読み出したプログラム等を記憶する。また、システム制御部５０はメモリ３２、Ｄ／Ａ変換器１３、表示部２８等を制御することにより表示制御を行う。システムタイマ５３は各種制御に用いる時間を計測する計時部である。
【００１６】
ユーザはモード切替スイッチ６０、シャッタボタンの第１シャッタスイッチ６１および第２シャッタスイッチ６２、操作部７０を用いて、システム制御部５０に各種の動作を指示する。モード切替スイッチ６０は、システム制御部５０の動作モードを切り替える操作部材である。動作モードは、静止画記録モード、動画記録モード、再生モード等である。例えば静止画記録モードには、オート撮影モード、オートシーン判別モード、マニュアルモード、撮影シーン別の各種シーンモードや、プログラムＡＥモード、カスタムモード等がある。同様に、動画記録モードにも複数のモードがある。
【００１７】
第１シャッタスイッチ６１は、デジタルカメラ１００に設けられたシャッタボタンの操作途中、いわゆる半押し操作（撮影準備指示の操作）でＯＮとなり、第１シャッタスイッチ信号ＳＷ１を発生する。システム制御部５０は第１シャッタスイッチ信号ＳＷ１を受け付けて、ＡＦ処理、ＡＥ処理、ＡＷＢ処理、ＥＦ処理等を開始する。第２シャッタスイッチ６２は、シャッタボタンの操作完了、いわゆる全押し操作（撮影指示の操作）でＯＮとなり、第２シャッタスイッチ信号ＳＷ２を発生する。システム制御部５０は第２シャッタスイッチ信号ＳＷ２を受け付けて、撮像部２２の信号を読み出して記録媒体２００に画像データを書き込むまでの一連の撮影処理を開始する。
【００１８】
操作部７０は、例えば表示部２８に表示される種々の機能アイコンをユーザが選択操作する際に使用し、場面ごとに適宜機能が割り当てられた機能ボタンを有する。例えば終了ボタン、戻りボタン、画像送りボタン、ジャンプボタン、絞込みボタン、属性変更ボタン等がある。ユーザがメニューボタンを操作すると、表示部２８は各種の設定可能なメニュー項目を画面に表示する。ユーザは、表示部２８に表示されたメニュー画面を見ながら、上下左右の４方向ボタンやＳＥＴボタンを用いて各種設定を行うことができる。また、操作部７０は、ズーム動作指示を行うためのズームキーと、撮影画像を固定倍率で電子的に拡大する指示を行うための操作キー（以下、テレコンキーという）を有する。
【００１９】
操作部７０は、タッチパネル７１を介してユーザが操作を行う際に使用する操作ボタンの表示および非表示を切り替える表示切替ボタンを有する。ユーザは表示切替ボタンの操作により、操作ボタンの表示と非表示を切り替えることが可能である。
【００２０】
タッチパネル７１は、表示部２８に対するユーザの手指やスタイラス等（検出対象）の接触を検出して、操作指示をシステム制御部５０に通知する入力部である。タッチパネル７１は表示部２８と一体的に構成される。例えば、タッチパネル７１は光の透過率が表示部２８の表示を妨げないように構成され、表示部２８の表示面の上層に取り付けられている。タッチパネル７１における入力座標と、表示部２８上の表示座標とが対応付けられており、ユーザが表示部２８上に表示された画面を見ながら機能ボタン（操作領域）を操作するＧＵＩ（グラフィカル・ユーザ・インターフェース）が提示される。システム制御部５０はタッチパネル７１への以下の操作を受け付ける。
・検出対象がタッチパネル７１に接触すること（以下、タッチダウンと称する）
・検出対象がタッチパネル７１を接触している状態であること（以下、タッチオンと称する）
・検出対象がタッチパネル７１に接触したまま移動していること（以下、ムーブと称する）
・タッチパネル７１に接触していた検出対象が離れること（以下、タッチアップと称する）
・タッチパネル７１に何も接触していない状態であること（以下、タッチオフと称する）。
【００２１】
タッチパネル７１は、検出対象の接触に係る位置座標をシステム制御部５０に通知する。システム制御部５０は通知された情報に基づいてタッチパネル７１上で行われた操作を判定する。例えば、ムーブについては、タッチパネル７１にて検出対象の位置座標が変化した際の垂直成分と水平成分により判定される。またタッチダウンから一定のムーブを経てタッチアップをしたとき、ストロークを描くフリック操作では、所定距離以上を所定速度以上でムーブしたことが検出され、そのままタッチアップが検出される。所定距離以上を所定速度未満でムーブしたことが検出された場合、ドラッグ操作として判定される。なお、タッチパネル７１の検出方式の如何は問わない。
【００２２】
リモート端子７３は、外部装置からの制御を可能にする端子である。システム制御部５０はリモート端子７３を介して外部装置からのコマンドを受信し、コマンドにしたがってデジタルカメラ１００を制御する。システム制御部５０は、リモート端子７３から操作ボタンの表示と非表示を切り替えるコマンドを受信すると、操作ボタンの表示と非表示の切替制御を行う。
【００２３】
電源スイッチ７２は、ユーザがカメラの電源のＯＮ操作またはＯＦＦ操作に使用する。電源制御部８０は、電池検出回路、ＤＣ−ＤＣコンバータ、通電するブロックを切り替えるスイッチ回路等により構成される。電源制御部８０は電池の装着の有無、電池の種類、電池残量の検出し、検出結果およびシステム制御部５０の指示に基づいてＤＣ−ＤＣコンバータを制御し、記録媒体２００を含む各部へ電力を供給する。電源制御部８０は充電回路を含み、システム制御部５０の指示により、電源部３０へ電力を供給して２次電池の充電を行う。電源部３０は２次電池、ＡＣアダプタ等を備える。記録媒体Ｉ/Ｆ部１８は記録媒体２００とのインターフェース部である。記録媒体２００は、撮像された画像のデータを記録するメモリカード等の記録媒体であり、半導体メモリや磁気ディスク等から構成される。
【００２４】
［第１実施形態］
次に、本発明の第１実施形態のズームモード切り替え時の動作について、図２から図４を参照して説明する。図２はユーザがメニュー操作によってズームモード切り替えを行う際の表示例を示す概略図である。
【００２５】
図２のメニュー表示画面２０１は、操作部７０に含まれるメニューボタンの操作によりユーザに提示される。メニュー項目としてアイリス（Iris）設定、シャッタ（Shutter）設定、ゲイン（Gain）設定、ズーム（Zoom）設定等が表示される。図２は、ユーザがズーム設定の項目を選択し、その下位メニュー項目として選択可能な選択肢を例示する。ズームモードは、撮影画像を固定倍率で拡大するデジタルズーム処理（以下、デジタルテレコンという）の各モードを含む。撮像装置のズーム処理には、レンズを駆動する光学ズーム処理と、画像処理により行う電子ズーム処理がある。デジタルズーム処理は、画像のトリミング処理により行われる電子ズーム処理である。図２の例では、デジタルテレコン6.0x、デジタルテレコン3.0x、デジタルテレコン1.5x、デジタルZoom、ノーマルの選択肢がある。「x」はズーム倍率を意味し、6.0xは６.０倍を表わす。デジタルZoomは光学ズームから連続してズーム倍率の変更が可能な電子ズームモードである。ノーマルモードは光学ズームモードである。ユーザは操作部７０に含まれる上下左右の４方向ボタンの操作により所望の項目を選択可能である。図２の表示例では、デジタルZoomの項目２０２が選択されている。
【００２６】
図３は本実施形態にて、デジタルズーム中にユーザがテレコンキーを操作した際のズームモード切り替えを例示する説明図である。図３（Ａ）はデジタルズーム状態の画面例を示す。ユーザがテレコンキーを操作した場合、撮像装置はデジタルズームでの電子ズーム倍率に応じて、設定するデジタルテレコンの倍率を変更する。例えば図３（Ａ）に示すデジタルズーム状態において、デジタルズームの電子ズーム倍率がデジタルテレコン1.5xに示す１．５倍よりも小さい場合を想定する。この場合、ユーザがテレコンキーを操作すると、図３（Ｂ）に示すデジタルテレコン1.5xに設定される。また図３（Ａ）に示すデジタルズーム状態において電子ズーム倍率が１．５倍以上であって３倍未満である場合を想定する。デジタルズームの電子ズーム倍率がデジタルテレコン3.0xに示す３倍よりも小さい場合にはテレコンキーの操作により、図３（Ｃ）に示すデジタルテレコン3.0xに設定される。また図３（Ａ）に示すデジタルズーム状態において電子ズーム倍率が３倍以上であって６倍未満である場合を想定する。デジタルズームの電子ズーム倍率がデジタルテレコン6.0xに示す６倍よりも小さい場合には、テレコンキーの操作により、図３（Ｄ）に示すデジタルテレコン6.0xに設定される。図３（Ｅ）に示すようにデジタルズームの電子ズーム倍率が６倍以上（上限値以上）である場合、デジタルテレコンは無効とされ、ズームモードがノーマルモードに設定される。
上記の制御により、デジタルテレコンの実行の際に、デジタルズームの状態によって画像拡大率が上がったり下がったりすることを防止できるので、操作性が向上する。
【００２７】
図４を参照して、ユーザがテレコンキーを操作した際のズームモード切り替え時の処理を説明する。図４はテレコンキーの操作に応じたズームモード切り替えに関するフローチャートである。以下の処理はシステム制御部５０のＣＰＵ（中央演算処理装置）がメモリからプログラムを読み出して実行することにより実現される。
【００２８】
Ｓ４０１でシステム制御部５０は、ユーザが操作部７０に含まれるテレコンキーを操作したどうかを判定する。テレコンキーが操作されたと判定された場合、Ｓ４０２へ進む。テレコンキーが操作されていないと判定された場合にはＳ４０１の判定処理が繰り返される。Ｓ４０２でシステム制御部５０は、撮像装置のズーム状態を判定する。ズーム状態は光学ズーム状態と電子ズーム状態を含む。システム制御部５０は現時点で光学ズーム中であるかどうかを判定する。光学ズーム中と判定された場合、Ｓ４０３へ進む。光学ズーム中ではなく電子ズーム中であると判定された場合にはＳ４０４へ進む。
【００２９】
Ｓ４０３でシステム制御部５０は画像処理部２４へデジタルズームの電子ズーム倍率としてテレコン１．５倍を指示する。画像処理部２４は電子ズーム倍率の指示にしたがって画像を１．５倍に拡大する処理を行う。本実施形態では光学ズームからデジタルテレコンへの切り替え時に決定される固定倍率は１．５倍であり、設定の変更が可能な複数の電子ズーム倍率のうちで最小の倍率である。１．５倍の画像拡大処理の後、処理は終了となる。
【００３０】
Ｓ４０４でシステム制御部５０は、撮像装置のデジタルズームによる電子ズーム倍率がテレコン１．５倍の拡大処理を実行した際の倍率より小さいかどうかを判定する。デジタルズームによる電子ズーム倍率がテレコン１．５倍の拡大処理を実行した際の倍率未満であると判定された場合、Ｓ４０５へ進む。デジタルズームによる電子ズーム倍率がテレコン１．５倍の拡大処理を実行した際の倍率以上であると判定された場合にはＳ４０６へ進む。
【００３１】
Ｓ４０５でシステム制御部５０は電子ズーム倍率を１．５倍と決定し、画像処理部２４へテレコン１．５倍の指示を出す。画像処理部２４は画像を１．５倍に拡大する処理を行う。１．５倍の画像拡大処理の後、処理は終了となる。
【００３２】
Ｓ４０６でシステム制御部５０は、撮像装置のデジタルズームによる電子ズーム倍率がテレコン３．０倍の拡大処理を実行した際の倍率より小さいかどうかを判定する。デジタルズームによる電子ズーム倍率がテレコン３．０倍の拡大処理を実行した際の倍率未満であると判定された場合、Ｓ４０７へ進む。デジタルズームによる電子ズーム倍率がテレコン３．０倍の拡大処理を実行した際の倍率以上であると判定された場合にはＳ４０８へ進む。
【００３３】
Ｓ４０７でシステム制御部５０は電子ズーム倍率を３．０倍と決定し、画像処理部２４へテレコン３．０倍の指示を出し、画像処理部２４は画像を３．０倍に拡大する処理を行う。３．０倍の画像拡大処理の後、処理は終了となる。Ｓ４０８でシステム制御部５０は、撮像装置のデジタルズームによる電子ズーム倍率がテレコン６．０倍の拡大処理を実行した際の倍率より小さいかどうかを判定する。デジタルズームによる電子ズーム倍率がテレコン６．０倍の拡大処理を実行した際の倍率未満であると判定された場合、Ｓ４０９へ進む。デジタルズームによる電子ズーム倍率がテレコン６．０倍の拡大処理を実行した際の倍率以上であると判定された場合にはＳ４１０へ進む。
【００３４】
Ｓ４０９でシステム制御部５０は電子ズーム倍率を６．０倍と決定し、画像処理部２４へテレコン６．０倍の指示を出す。画像処理部２４は画像を６．０倍に拡大する処理を行う。６．０倍の画像拡大処理の後、処理は終了となる。Ｓ４１０でシステム制御部５０は画像処理部２４へテレコン、および電子ズーム状態をＯＦＦにする指示を出し、ズームモードをノーマルモードに設定する。ノーマルモードの設定後に処理は終了となる。
【００３５】
本実施形態ではズームモードの切り替えの際、切り替え前のズームモードの電子ズーム倍率から決定される固定倍率に設定が変更される。よって、ユーザの意図に沿った電子ズーム倍率の設定が可能となる。すなわち操作時の電子ズーム状態によって画像拡大率が変化することを防止できるので、ズーム操作性の向上を実現できる。
【００３６】
［第２実施形態］
次に本発明の第２実施形態を説明する。本実施形態では、図５、図６を参照して表示画面例を説明する。なお本実施形態において第１実施形態の場合と同様の構成については既に使用した符号を用いることで、それらの詳細な説明を省略して主に相違点を説明する。
【００３７】
図５は、本実施形態にてズームモード切り替えを行う際のメニュー画面５０１を例示する。図２との相違点は、ズームモード切り替えのメニュー項目において、メニュー項目をズーム倍率の順番で並べている点である。つまりZoom設定において、現時点でのデジタルZoomの倍率と各デジタルテレコンの電子ズーム倍率との関係をユーザが把握できるように並べた順序でメニュー項目が表示される。これにより、操作部７０に含まれる上下左右の４方向ボタンをユーザが操作した場合に、意に反して電子ズーム倍率が上がったり下がったりすることを防止できる。
【００３８】
図５は、デジタルズームでの電子ズーム倍率がデジタルテレコン１．５倍以上であって、デジタルテレコン３．０倍未満であった場合を例示する。この場合、メニュー項目にて上から下にデジタルテレコン6.0x、デジタルテレコン3.0x、デジタルZoom、デジタルテレコン1.5x、ノーマルの順序で並べて表示される。ユーザが上下左右の４方向ボタンを操作した場合、電子ズーム倍率が昇順（または降順）で提示されるため、操作性が向上する。
【００３９】
図６は、図３で示した撮像装置の表示画面において、デジタルズーム中にユーザがテレコンキーを操作する場合の電子ズーム倍率指標をズームバーに表示する例を示す。図６に示すデジタルズーム状態でユーザがテレコンキーを操作した場合、電子ズーム倍率指標６０１がズームバー上に表示される。この処理は電子ズーム倍率の変化量を明示することでユーザに分かり易くするための処理であり、システム制御部５０および表示部２８により行われる。テレコンキーの操作の際に電子ズーム倍率の変化量を明示することによって操作性の向上を実現できる。
【００４０】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００４１】
２２  撮像部
２４  画像処理部
２８  表示部
５０  システム制御部
７０  操作部
７１  タッチパネル
【図１】
2017135575.tif 000003
【図２】
2017135575.tif 000004
【図３】
2017135575.tif 000005
【図４】
2017135575.tif 000006
【図５】
2017135575.tif 000007
【図６】
2017135575.tif 000008